(57)【要約】  バスタブであって、所定の保水量を保持するための少なくとも１つの側壁によって画定されたエンクロージャを有する浴槽と、浴槽へのアクセスを提供する側壁の出入口と、浴槽に少なくとも２つの水位を保持するために出入口に取り付け可能な扉と、使用者が扉を少なくとも３つの位置の間で移動させることを可能にするアクチュエータと、浴槽を空にするための機械的ドレインと、ドレインおよび扉用ドリップを介して浴槽から水を受け取るためのダブルリザーバと、制御インターフェースと、扉位置センサと、水位検出センサと、圧力センサと、コントローラであって、制御インターフェースからの入力制御信号を受信し、入力扉ロック位置信号を受信し、入力水検出信号を受信し、入力圧力信号を受信し、扉のシール弁を制御するための制御信号を送信し、且つ排水弁を操作するための制御信号を送信するように構成されたコントローラとを含むバスタブ。
2019522498.tif 000002
【特許請求の範囲】
【請求項１】
バスタブ（１０）であって、
所定の保水量を保持するための少なくとも１つの側壁（１４）によって画定されたエンクロージャを有する浴槽（１２）と、
前記浴槽（１２）へのアクセスを提供するための前記側壁（１４）上の出入口（１６）と、
前記浴槽（１２）に少なくとも２つの水位を保持するために前記出入口（１６）に取り付け可能な扉（２２）と、
前記扉（２２）を前記出入口（１６）に亘って移動させるアクチュエータであって、それにより使用者が前記扉（２２）を下降位置、中間位置および上昇位置を含む少なくとも３つの位置の間で移動させることを可能にするアクチュエータと、
前記浴槽（１２）を空にするための機械的ドレインと、
前記ドレインおよび扉ドリップ（３６）を通して前記浴槽（１２）から水を受け取るためのダブルリザーバ（６２）と、
制御インターフェース（９２）と、
前記扉（２２）の、ロックした中間位置および上昇位置を検出するための複数の扉位置センサ（８６）と、
前記浴槽（１２）およびリザーバ（６２）内の前記水位を検出するための複数の水検出センサ（８８）と、
前記扉のシール弁内の圧力を検出するための圧力センサ（９０）と、
コントローラ（９２）と
を有するバスタブにおいて、
前記コントローラ（９２）が、
セキュリティ制御のために前記制御インターフェースからの入力制御信号を受信し、
前記扉位置センサ（８６）からの入力扉ロック位置信号を受信し、
前記水検出器センサ（８８）からの入力水検出信号を受信し、
前記扉を密閉するために前記圧力センサ（９０）からの入力圧力信号を受信し、
前記扉（２２）のシール弁（９４）を制御するための制御信号を送信し、また
排水弁（９６）を操作するための制御信号を送信する
ように構成されている、バスタブ（１０）。
【請求項２】
前記コントローラ（９２）に接続された給水弁（９８）をさらに有する、請求項１に記載のバスタブ。
【請求項３】
前記コントローラ（９２）に接続されたステータスライト（１００）をさらに有する、請求項１に記載のバスタブ。
【請求項４】
前記コントローラ（９２）に接続された扉押しボタン（８４）をさらに有する、請求項１に記載のバスタブ。
【請求項５】
前記コントローラ（９２）に接続されたキーボード（１０４）をさらに有する、請求項１に記載のバスタブ。
【請求項６】
前記扉ドリップ（３６）は、前記ダブルリザーバ（６２）に組み込まれており、且つ前記扉（２２）が前記下部位置にあるときにシーリングストリップ（１８）内の水を捉えるように前記扉（２２）の下で固定可能である、請求項１に記載のバスタブ。
【請求項７】
前記扉（２２）は扉オーバーフロー（３２）を有し、前記扉オーバーフロー（３２）は、構造的なオーバーフローパイプ、可撓性の管、摺動可能な管、および少なくとも１つの排水弁のうちの１つ以上を使用する、請求項１に記載のバスタブ。
【請求項８】
前記機械的ドレインは、前記浴槽（１２）の内側から取り外し可能に設置可能である、請求項１に記載のバスタブ。
【請求項９】
前記機械的ドレインは、３０秒未満で前記浴槽（１２）を空にするように適合されている、請求項７に記載のバスタブ。
【請求項１０】
前記扉（２２）は、楕円形および／または円形および／または直線運動、および／またはそれらの組み合わせで移動可能である、請求項１に記載のバスタブ。
【請求項１１】
前記扉（２２）は、繊維強化シーリングストリップ（１８）を用いて密閉されている、請求項１に記載のバスタブ。
【請求項１２】
前記ダブルリザーバ（６２）は、単一排出ポートを有する、請求項１から６までのいずれか一項に記載のバスタブ。
【請求項１３】
前記単一排出ポートは、前記扉の前記ドリップパンへの水の戻りを防止する逆止め装置を有している、請求項１２に記載のバスタブ。
【請求項１４】
前記アクチュエータがソレノイドである、請求項１から１３までのいずれか一項に記載のバスタブ。
【請求項１５】
前記機械的ドレインは、
排水プレート（４６）上の排水プラグ（４４）を開閉するための排水アクチュエータ（４８）であって、前記排水プレート（４６）が保持ブラケット（５６）によって排水エンクロージャ（６０）内に固定可能であり、圧縮ガスケット（５２）が排水エンクロージャ（６０）と前記排水プレート（４６）との間を密閉する排水アクチュエータ（４８）
を有している、請求項１から１４までのいずれか一項に記載のバスタブ。
【請求項１６】
前記排水アクチュエータ（４８）は２つの弁を有し、前記弁は前記ドレインの前記開閉を制御する、請求項１５に記載のバスタブ。
【請求項１７】
前記保持ブラケット（５６）は、取り付けボルト（５４）を締めることによって上下に移動可能であり、且つガイドロッド（５８）によって平行に維持されるように適合されている、請求項１５または１６に記載のバスタブ。
【請求項１８】
前記機械的ドレインは排水カバー（４０）をさらに有する、請求項１５から１７までのいずれか一項に記載のバスタブ。
【請求項１９】
前記機械的ドレインはヘアフィルタ（４２）をさらに有する、請求項１５から１８までのいずれか一項に記載のバスタブ。
【請求項２０】
バスタブ用の機械的ドレインであって、
排水プレート（４６）上の排水プラグ（４４）を開閉するための排水アクチュエータ（４８）であって、前記排水プレート（４６）が保持ブラケット（５６）によって排水エンクロージャ（６０）内に固定可能であり、圧縮ガスケット（５２）が排水エンクロージャ（６０）と前記排水プレート（４６）との間を密閉する排水アクチュエータ（４８）
を有する、機械的ドレイン。
【請求項２１】
前記排水アクチュエータ（４８）は２つの弁を有し、前記弁は前記ドレインの前記開閉を制御する、請求項２０に記載の機械的ドレイン。
【請求項２２】
前記保持ブラケット（５６）は、取り付けボルト（５４）を締めることによって上下に移動可能であり、且つガイドロッド（５８）によって平行に維持されるように適合されている、請求項２０または２１に記載の機械的ドレイン。
【請求項２３】
排水カバー（４０）をさらに有する、請求項２０から２２までのいずれか一項に記載の機械的ドレイン。
【請求項２４】
ヘアフィルタ（４２）をさらに有する、請求項２０から２３までのいずれか一項に記載の機械的ドレイン。
【発明の詳細な説明】
【技術分野】
【０００１】
本願は、個人が容易にアクセスできるようなスライド式の扉を備えたバスタブ（ｂａｔｈｔｕｂ）に関する。特に本発明は、自律性が低く、機動力が低下し、または入浴のための援助を必要とする、特に高齢者のための容易なアクセスを提供するバスタブに関する。
【背景技術】
【０００２】
比較的アクセス可能なバスタブのいくつかのモデルが市場に存在し、大部分は地面に対して低いアクセス用の入口を有する。しかし、市場に存在するものは、短期間の使用にのみ適している。実際、このようなバスタブは、使用者の年齢の身体的な衰え（自立の喪失、歩行器が必要となる、車椅子が必要となる）にうまく適合せず、入浴の補助が必要になった場合には実質的に使用不能になる。さらに、病院の備品を思い起こさせるその外観のために、自律性が低下している者達は、浴室に来た者または他の使用者がそのようなバスタブを見たときに、当惑を覚えることが頻繁にある。
【０００３】
他のバスタブモデルは、より歩行器や車椅子が必要な人や障害者などに適している。これらの公知のバスタブは、片側の扉および隆起したシートを使用するが、依然として多くの欠点を有する。例えば、これらの公知のバスタブは、入浴者が浴槽（ｔｕｂ）から出なければならないときに電力を必要とするので、停電が発生した場合、これらは動作不能になる。また、このようなバスタブは、浴槽を空にするために長い時間を要する。既存のバスタブの中には、入浴者の補助をする介護者の腰痛のリスクを高める可能性がある、設計が劣悪なものもある。また、これらのバスタブを設置するためには、施設の既存の配管を大きく変更する必要がある。さらに、これらは、既存のドレインのもとに設置されるので、ドレインの将来的な維持のための空間が比較的小さいものとなる。さらに、これらのバスタブの多くは、使用者の要する労力を軽減するために、手動シーリングを空気式シーリングシステムに置き換えており、それは圧縮機を使用することなどによりなされており、それらは非常に高価であるばかりでなく、かなりの騒音が出て、リラックスを促すという入浴の原理に反して動作する。
【０００４】
また、下記の特許文献も知られている。
【０００５】
Ｋｏｈｌｅｒ  Ｃｏ．に譲渡された米国特許第５，１６３，１８７号明細書および第５，２２０，６９６号明細書（Ｄａｎｎｅｎｂｅｒｇら）は、垂直軸ヒンジ式扉および膨張可能なシールを備えたバスタブを開示している。
【０００６】
米国特許第２００７０６７９０１号明細書および米国特許第７，２３７，２７６号明細書（Ｌｏｎｇｍａｎ）は、開位置と閉位置との間を水平方向に沿って移動可能な扉を備えたバスタブを開示している。
【０００７】
Ａｒｔｗｅｇｅｒ  ＧＭＢＨ＆Ｃｏ．に譲渡された米国特許出願公開第２０１１／１６７５５５号明細書および第２０１２／１９８６１１号明細書（Ｚｉｅｒｌｅｒら）は、水密式の扉を備えたバスタブ用の閉鎖および固定アセンブリを開示している。
【０００８】
Ｓａｋａｉ  Ｍｅｄｉｃａｌ  Ｃｏ．に譲渡された国際公開第２０１３／１２５４７７号パンフレット（Ｔｏｒｉｉら）は、座部のための支持部と、座部を支持部に沿って垂直に移動させるリフト駆動部とを有するバスタブ用のリフト機構を開示している。
【０００９】
Ｊａｃｕｚｚｉ  Ｅｕｒｏｐｅ  ＳＰＡに譲渡された国際公開第２０１５／１９８２８０号パンフレット（Ｐｏｌｏ  Ｆｉｌｉｓａｎ）は、開位置と閉位置との間を移動可能な扉を備えたバスタブを開示している。扉は、一緒にヒンジ結合された２つのパネルを含む。
【００１０】
Ａｑｕａｔｉｃ  Ｃｏ．に譲渡された米国特許第８，２３０，５３４号明細書、Ｋｏｈｌｅｒ  Ｃｏ．に譲渡された第９，２５４，０６６号明細書（Ｔｏｒｒｅｓら）は、スライド式の扉を備えたアクセス可能なバスタブを開示しており、このバスタブは素早くバスタブを排水して入浴者の体を冷やすのを最小限に抑えると言われている。実際に、公知の従来式のバスタブの問題点は、かようなバスタブ内にいる者が、浴槽が完全に排水されてその後扉が開けられるまで、一般に入浴後に浴槽から出ることができないことである。上述したように、従来式の浴槽排水システムは排水に時間がかかり過ぎ、その結果入浴者が体を冷やす経験をすることになる。
【００１１】
Ｋｏｈｌｅｒ  Ｃｏに譲渡された米国特許第８，８６３，３２３号明細書および出願公開第２０１５／０２０３０５号明細書（Ｋｎａｐｐら）は、下降位置と上昇位置との間を移動可能な扉、扉の位置を検知する扉位置センサ、および扉の位置に基づいてバスタブの構成要素を制御するための位置センサとの電子通信を行うコントローラを備えるバスタブを開示している。
【発明の概要】
【００１２】
本発明によれば、バスタブであって、水の容量を保持するための少なくとも１つの側壁によって画定されたエンクロージャを有する浴槽と、浴槽へのアクセスを成すための側壁の出入口と、浴槽に少なくとも２つの水位を保持するために出入口に取り付け可能な扉と、扉を出入口に亘って移動させて、使用者が扉を下降位置、中間位置および上昇位置を含む少なくとも３つの位置の間で移動させるアクチュエータと、浴槽を空にするための機械的ドレインと、ドレインおよび扉用ドリップを介して浴槽から水を受け取るためのダブルリザーバと、制御インターフェースと、扉のロックした中間位置および上昇位置を検出するための扉位置センサと、浴槽およびリザーバの水位を検出する水検出センサと、扉のシール弁の圧力を検出する圧力センサと、コントローラであって、セキュリティ制御のために制御インターフェースからの入力制御信号を受信すること、扉位置センサからの入力された扉ロック位置信号を受信すること、水検出器センサからの入力された水検出信号を受信すること、扉を密閉するために圧力センサからの入力された圧力信号を受信すること、扉のシール弁を制御するための制御信号を送信すること、および排水弁を操作するための制御信号を送信することのために構成されるコントローラとを含むバスタブが提供される。
【００１３】
実施形態では、本発明によるバスタブは、革新的な解決策および最新の設計を組み込むことによって、上記の欠点に対処する。
【００１４】
実施形態では、バスタブは、少なくとも下降位置と上昇位置との間、および同様に少なくとも中間位置まで移動可能な摺動可能な扉を受容するための側部開口部を有する。バスタブは、隆起したシートを含むことができる。
【００１５】
実施形態では、バスタブは輪郭を画定する壁を含み、それは１つ以上の垂直な壁の少なくとも一部に扉が設けられる。浴槽は、一部に、またはシェルの１つ以上の垂直な壁の全体に入口を画定するシェルで、構成させてもよい。
【００１６】
実施形態では、バスタブは、多段階の閉位置の１つにおいて水を保持し、開位置において自由な通路を設けるための少なくとも１つの扉を含むことができる。
【００１７】
実施形態では、扉は、開位置にあるときには入浴者用の通路を残し、またはその様々な閉鎖レベルにあるときには閉鎖または部分的に閉鎖される。
【００１８】
実施形態において、扉は、バスタブが安全基準を満たし、選択された扉の位置に関係なく漏出を防止することを可能にする統合オーバーフローシステムを有する。
【００１９】
実施形態では、扉は複数の位置に動かすことができ、例えば普通に生活できない者が入浴するのを助けたり、子供が体を洗ったりするのを助ける中間位置、および入浴者が十分に寛げる最高水位を含む最も高い位置が挙げられる。
【００２０】
実施形態では、複数の位置に移動させることができる扉には、異なるシールレベルの圧力に耐えることができるフレームが設けられている。
【００２１】
実施形態では、扉は、円の方向に下から上へ移動するが、直線の方向、楕円の方向、またはこれらの動きの組み合わせであってもよい。その重量に起因する扉の慣性が、ガスシリンダおよび／またはスプリングなどの補助装置により、使用者に対して対抗または緩和することが可能である。扉はまた、アクチュエータ、ソレノイド、一式の釣り合いおもり、または真っすぐな直線運動および／または円形運動をもたらすための他の既知の手段によって、モータ駆動され得る。
【００２２】
実施形態では、バスタブは、自動化装置、安全装置、およびオプションの使用者用キーボードを管理するためのコントローラを含む。
【００２３】
実施形態では、コントローラは、システムの様々な状態の入浴シーケンス解析を実行して、給水およびドレインのキャップ閉鎖の両方を制御する。
【００２４】
実施形態では、コントローラは、バスタブから溢れ出すのを回避するように、水が排水用リザーバに検出された場合に給水を遮断する。
【００２５】
実施形態では、バスタブは、コントローラによって制御される自動ドレインを含む。
【００２６】
実施形態では、コントローラは、扉が開かれている場合に給水を可能にして、浴槽の清掃をできるようにし、および／または浴槽が満水になる前に水温の分析ができるようにする。
【００２７】
実施形態では、コントローラは、扉の位置が開ではない場合、密閉に必要な圧力が達成され維持されている場合、および排水タンクが空であると検出された場合に、排水孔の閉鎖ができるようにする。
【００２８】
実施形態では、自動ドレインは、排水孔に当接して水の通路を閉じるときにプラグとして作用する移動可能プレートを持ち上げるためのシリンダを含む。
【００２９】
実施形態では、ドレインは、水、空気または任意の気体または液体で操作することができるが、同じ結果を達成する。
【００３０】
実施形態では、コントローラは一体化動力パックを有し、遅延を許容して、使用者が浴槽から安全に出ることを可能にし、急の故障の場合に、自動的に開くドレインに不適合がないようにする。
【００３１】
実施形態では、ドレインは、ヒンジ式、釣り合いおもり式、サイドスライド式、または二重軸式、および従来型の浴槽用の異なる扉バスタブモデルに使用することもできる。
【００３２】
実施形態では、排水機能は、可撓性膜アセンブリまたはダイヤフラム、リフティングクッション、または他の類似のアクチュエータまたはレバーによって操作することもできる。
【００３３】
実施形態では、ドレインはバスタブの同じシェルに設置されるが、シェルの外側に設置されてもよい。
【００３４】
実施形態では、ドレインは取り外し可能に設置させるように設計される。ドレインは、ドレインまたはリザーバの点検または保守を可能にするように、配管工事によって浴槽の内部から完全に取り外すことができる。
【００３５】
実施形態では、ドレインは、シェルの成形を容易にするために丸い出口を有するが、性能に影響を及ぼすことなく任意の形状とすることができる。
【００３６】
実施形態では、ドレインは、リザーバの閉塞または詰まりのリスクを低減し、その保守を低減するためのヘアフィルタを有する。
【００３７】
実施形態では、浴槽は排水カバーを有し、ドレインの非審美的な部分を覆い隠し、使用者を自動ドレインに挟まれるリスクから保護し、渦と騒音を減少させるように排水を分配し、排水速度を制御する。
【００３８】
実施形態では、バスタブは、高速排水および／または急速充填のための緩衝ゾーンまたはリザーバを含む。
【００３９】
実施形態では、リザーバは、３０秒未満で浴槽を排水することを可能にし、使用者が、（一部のタイプの浴槽の扉において）バスタブを出るべく完全または部分的な排水を待たねばならないため、バスタブ内で使用者が感じる冷えおよび不快感を排除する。
【００４０】
実施形態では、浴槽は、浴槽内に入浴者がいない状態で可能な最高水量を有し、且つオーバーフローまで満たされたとしても、３０秒未満で浴槽を排水することを可能にする。
【００４１】
実施形態では、バスタブは、ドレインをシェル内部に保持するための排水機構の保持システムを含む。
【００４２】
実施形態では、排水機構の保持システムは、様々なプロセスの差異があるにもかかわらず、シリコンなしの水密な設置を可能にするように設計されている。
【００４３】
実施形態では、排水機構の保持システムは、保守または単純化された交換を可能にするために、排水機構を容易に設置および取り外すことを可能にする。
【００４４】
実施形態において、排水機構の保持システムは、保持ボルトのクランプによって垂直に移動する固定ロッドを含む。保持ボルトは、締めると固定ロッドを持ち上げ、これが浴槽の構造物と接触し始め、その後排水機構がその位置に固定される。
【００４５】
実施形態では、バスタブは、独国特許出願公開第３５０８７１３号明細書（Ｈａｗｌｉｃｚｅｋ）のような先行技術に長く存在してきたコンセプトに基づく急速排水システムを含む。急速排水システムは緩衝リザーバを使用するが、バスタブの内部から素早く取り外すことができる取り外し可能なドレインを介してドレインに簡単に接近できるように変更されている。保守の点検の費用は、この種の既存のバスタブでは非常に高価である。しかし、バスタブの内部に設置された完全に取り外し可能なドレインを組み込み、典型的なバスタブのように浴槽の下で接近する必要のない取り付け機構を備えることによって、主要ドレインへの簡素な接近手段を設置することにより実質的に点検の費用を削減することができる。いったん取り外されると、排水機構は、故障の場合に迅速に交換することができ、および／または開口部に移行し、配管装置への緩衝リザーバに接近できる。
【００４６】
実施形態では、ドレインは自動ドレインであり、水が通るのを防止するために開口部を閉鎖するキャップとして機能する移動可能プレートを上昇させるためのシリンダを含む。
【００４７】
実施形態では、市場にある他のものとは異なり、扉は、少なくとも３つの位置、すなわち、開位置、閉位置、中間の位置、または中程度の高さに設定することができる。扉にはオーバーフローが組み込まれており、業界の標準や様々な配管の規定に準拠した高さに常になるようにしている。扉が中程度の高さであることは、入浴者を補助する際に介護者に人間工学的な浴槽をもたらす。この中程度の高さの位置により、入浴者を補助する際に介護者が座っていることさえ可能になる。
【００４８】
実施形態では、扉は、扉のための停止部として機能する繊維強化材を有する拡張可能なシールで密閉される。この設計は、従来技術の米国特許第３，０４２，９８０号明細書（Ｂｒｉｎｓｍａｄｅ）に基づいている。このようなシールは、米国特許第５，１６３，１８７号明細書（Ｄａｎｎｅｎｂｅｒｇら）のような浴室の市場で頻繁に使用される非強化シールとは異なる。中程度の高さにおいては上部シールが扉に接触しないので、繊維強化材を用いて、それが拡張するのを制限し、それによってシールの早期摩耗を回避する。
【００４９】
実施形態では、バスタブは圧縮機を必要とせず、むしろ住宅回路の水圧を使用する。これにより、扉を密閉して自動的にドレインを閉じることができる。ライン上の圧力調整器は、圧力を低下させて所定の固定圧力を確保し、高圧ネットワークを有する場所での問題のリスクを低減する。アクチュエータキャップは通常閉の供給弁と通常開の排水弁に接続させて、給水を遮断し、停電時に排水を行えるようにする。したがって、停電時には、浴槽内の水が自動的に排水される。
【００５０】
実施形態では、ダブルリザーバは、単一排出ポートを備える。
【００５１】
実施形態では、単一排出ポートは、扉のドリップパンへの水の戻りを防止する逆止め装置を含む。
【００５２】
実施形態では、コントローラはいくつかの条件付き浴槽保護装置を備えており、市場のバスタブに比べて比較的安全にしている。コントローラは、扉シーリングシステムで定圧力に達していない場合にキャップを密閉することができ、水がリザーバ内に存在する場合に水の供給が切断され、外部排水システムが閉塞した場合に可能性のある溢れ出しを防ぐようにする。市場で入手可能な公知のバスタブでは、以下のシーケンスがよく観られる。第１に扉が閉じられ、第２に、所定の時間が経過した後、キャップが閉じられる。しかし、キャップを閉じる第２のステップを条件として閉じる第１のステップなしでは、部品の故障の場合に問題が生じる可能性がある。さらに、一般に、水の供給は、現在市場で入手可能なバスタブでは通常制御されない。
【００５３】
実施形態では、以下のステップが続く。
−入浴者は入浴中に座るか、車椅子から浴槽に移動する。
−入浴者は扉のロックを解除するためにハンドルを操作する。
−入浴者は、扉を所望の高さまで上げるまで制御して、ハンドルを放す。
−スプリングリターン機構が扉をロックする。
−入浴者が扉シーリングコマンドを押す。
−扉を密閉する。
−扉が十分に密閉されていることを圧力センサが確認する。
−リザーバとドレインの水位センサが、リザーバが空であることを確認する。
−コントローラが浴槽プラグを閉じる。
−コントローラは、水を充填源から通過させる。
−入浴者が充填物を操作することができ、またはコントローラが、所定の温度を有する水を浴槽に満たす。
−入浴者が水を所望のレベルに停止させるか、コントローラが充填源を所定レベルまで停止させる。
−入浴者は、シーリングボタンを約３秒間押して維持することによって排水を起動する（３秒という期間は望ましくないまたは偶発的な排水を避けるためである）。
−コントローラが排水口を操作する。
−浴槽は３０秒未満に空になり、ドレインとリザーバに移る。
−水位センサが、浴槽が空であることを検出する。
−コントローラが扉の密封を解除する。
−入浴者は扉のロックを解除するためにハンドルを操作する。
−入浴者は扉を下げてハンドルを放す。
−スプリングリターン機構が扉を開位置にロックする。
−入浴者は浴槽から降りて立ち上がるか、車椅子への移動を実行することができる。
【００５４】
実施形態では、以下の制御シーケンスが続く。
−コントロールボタンを、使用者または入浴者が保持する。
−コントローラは、扉の位置と、浴槽内またはタンク内で検出される水があるかどうかを確認する。
−所望の条件が満たされない場合、ＬＥＤインジケータが３０秒間点滅するか、エラーコードがデジタルキーボードに表示される。
−扉が開いていて水が検出されなかった場合：
−扉が所望の高さに移動され、入浴者はハンドルを放す。
−ロック位置スイッチが起動する。
−シーリング制御ボタンを、入浴者が起動させる。
−コントローラがシール弁を作動させる。
−圧力センサは、扉が適切に密閉されていることを確認する。
−コントローラが排水弁を閉じ、充填弁を開く。
−コントローラは、水を充填源から通過させる。
−入浴者が充填物を操作することができ、またはコントローラが、所定の温度の水を浴槽に満たす。
−入浴者が水を所望のレベルに停止させるか、使用者によりコントローラが充填源を所定レベルまで停止させる。
−浴槽内の水位が検出される。
−シーリングボタンを３秒間保持する（不要または偶発的な排水を防ぐため）。
−コントローラは、排水弁のキャップが開くよう起動させる。
−浴槽は３０秒未満に空になり、リザーバに移る。
−リザーバの水位を検出する。
−浴槽内に水がないことを検出する。
−コントローラは、排水弁の開放を起動させる。
−浴槽が空であることをセンサがコントローラに警告する。
−コントローラが扉の密封を解除する。
−入浴者は扉のロックを解除するためにハンドルを操作する。
−入浴者は扉を下げてハンドルを放す。
−スプリングリターン機構が扉を最も低い位置にロックする。
−入浴者は浴槽から降りて立ち上がるか、車椅子への移動を実行することができる。
【００５５】
実施形態では、扉の適切な密閉が達成されると、ステータスライトが点灯する。問題が検出されると、ステータスライトが点滅するか、エラーコードがデジタルキーボードに表示されることがある。
【００５６】
実施形態では、圧力センサが圧力の限界に達したことを検出したとき、これが、安全ステップに達したことを示す情報をコントローラに送信する（供給弁のスイッチとして使用して、単一の弁を使用している場合、コントローラの「入力」の数を減らすために、それを供給弁のスイッチとして使用することができる）。
【００５７】
実施形態では、扉を密閉するための排水弁は、アクチュエータの２つの動作が制御される場合には、２つの３方弁または４つの単一弁のみにしてもよく、スプリングリターンアクチュエータが使用される場合には、または他のあらゆるカスタムの組み立て弁に対しては、１つの３方弁または２つの単一弁としてもよい。
【００５８】
実施形態では、機械的ドレインは、ドレインの開閉を制御する２つの弁を含む排水アクチュエータを備える。
【００５９】
実施形態では、水がリザーバ内で検出された場合に損傷を防止するために、入力された水弁を自動的に閉じることができる。水弁は、水道水または浴槽を満たすのに使用される他の任意の装置を閉じることができる。
【００６０】
本発明によれば、請求項１に記載のバスタブが提供される。
【００６１】
本発明によれば、請求項１１に記載のバスタブの機械的ドレインも提供される。
【００６２】
本明細書で開示される様々な実施形態は、添付の図面を参照して以下の詳細な説明によってよりよく理解されるであろう。
【図面の簡単な説明】
【００６３】
【図１】本発明の好ましい実施形態によるバスタブの概略斜視図であり、扉が開いた状態を示す。
【図２】図１に示される浴槽の別の概略斜視図であり、扉が閉じられた状態を示す。
【図３】図１に示される浴槽の別の概略斜視図であり、扉が中程度の高さにある状態を示す。
【図４】図１に示すバスタブの側面概略図である。
【図５】本発明の好ましい実施形態による、図１に示された浴槽で使用される閉位置のドレインの断面図である。
【図６】開位置にあるドレインを示す、図５のドレインの別の概略斜視図である。
【図７】図１に示すバスタブの上面概略図である。
【図８】図７のバスタブの別の概略上面図であり、排水カバーを備えていないドレインを示す。
【図９】図８のバスタブの別の概略上面図であり、ヘアフィルタを備えていないドレインを示す。
【図１０】図９のバスタブの別の概略上面図であり、排水弁アセンブリを備えていないドレインを示す。
【図１１】図１に示すバスタブの正面図である。
【図１２】図１に示すバスタブの側面概略図である。
【図１３】図１に示すバスタブの構造フレームの側面概略図である。
【図１４】図２に示すバスタブの背面斜視図である。
【図１５】図１４に示すバスタブの別の概略斜視図である。
【図１６】図１５に示されるバスタブの別の概略背面斜視図であり、扉に仕上げパネルのない状態を示す。
【図１７】図１５に示されるバスタブの別の概略斜視図であり、扉が開いた状態を示す。
【図１８】図１６に示すバスタブの別の概略斜視図であり、中程度の高さにある状態を示す。
【図１９】図１に示されるバスタブの別の概略斜視図であり、扉が開位置にあり、仕上げパネルのある状態のバスタブを示す。
【図２０】本発明の別の好ましい実施形態によるバスタブの正面図であり、バスタブは水がなく、扉が下降位置にある。
【図２１】本発明の別の好ましい実施形態によるバスタブの正面図であり、バスタブは水がなく、扉が上昇位置にある。
【図２２】本発明の好ましい実施形態によるバスタブの正面図であり、バスタブは水がなく、扉が中程度の高さの位置にある。
【図２３】ダブルリザーバの汚水分離システムの概略斜視図である。
【図２４】扉の側面の概略斜視図である。
【図２５】ダブルリザーバの上面概略図である。
【図２６】本発明の好ましい実施形態による、バスタブのコントローラと、コントローラに接続された様々な要素の概略図である。
【発明を実施するための形態】
【００６４】
図１〜２６を参照すると、本発明の異なる実施形態による、水容量を保持するための少なくとも１つの側壁１４によって画定されたエンクロージャを有する浴槽１２を含むバスタブ１０が示されている。バスタブ１０は、浴槽１２へのアクセスを提供するために、側壁１４に出入口１６を有する。出入口１６の周囲にはシーリングストリップ１８が設置されている。一組の仕上げパネル２０が浴槽１０の前面に配置され、シーリングストリップ１８をマスクするために使用される。扉２２は、出入口１４に取り付け可能であり、浴槽１２に少なくとも１つの水位を保持するようにする。バスタブ１０は、少なくとも２つの位置の間、好ましくは少なくとも３つの位置、例えば下降位置、中間位置および上昇位置の間で扉２２を出入口１６上に保持する一方向性の両側扉ロック機構２４を有する。レシーバ扉用ドリップ３６は、扉２２の下に固定され、ダブルリザーバ６２に組み込まれ、扉２２が下部位置にあるときシーリングストリップ１８内の水を捉える。扉２２は、シーリングストリップ１８の圧力を支持する扉フレーム３０を有する。扉フレーム３０は扉アーム２８に固定され、それ自体がピボット軸２６に固定されている。ピボット軸２６は、取り外し可能な構造的なピボットプレート６６に固定され、それ自体、浴槽フレーム６４およびガスシリンダ６８に固定される。扉は、ロックロッド７０によって作動される一方向のロックを有する。扉２２は、例えば構造的なオーバーフローパイプを用いる扉オーバーフロー３２を有する。扉オーバーフロー３２により、扉２２がその中の水を受けることが可能になり、それが上下に動くとき扉２２の任意の位置に扉２２が維持されるようにする。扉オーバーフロー３２の機能は、図示の構造的なパイプ以外の他の異なる方法で達成させてもよい。実際、扉２２の動きに追従する可撓性の管またはパイプ、または摺動可能な管またはパイプを使用して、扉オーバーフロー３２の機能を達成させて、所望の高さにある扉２２の高さに対する水位の高さを制御することができる。あるいは、１つ以上の排水弁を使用して、扉オーバーフロー３２の機能を達成させて、所望のレベルにある扉２２の高さに対する水位の高さを制御することができる。
【００６５】
バスタブ１０はまた、浴槽１２、扉２２、およびダブルコンパートメント付きリザーバ６２を一緒に保持するフレーム６４を有する。ダブルコンパートメント付きリザーバ６２には、リザーバからレシーバ扉用ドリップ３６へ水が向かうのを防止する汚水分離システム７２が装備されている。実施形態では、機械的トラップまたは逆流防止弁などの他のシステムを使用することができる。汚水分離システム７２は、リザーバドレイン７４、テールピース７６、分離パイプ７８、およびレシーバドレイン８０を有する。
【００６６】
バスタブ１０は、図５に最もよく示されているように、浴槽１２を空にするための機械的排部水を含む。バスタブ１０は、ドレイン３８の孔を通して水を浴槽１２から受け取るためのリザーバ６２を有することができる。浴槽１２は、排水エンクロージャ６０および孔のドレイン３８を有する。
【００６７】
図５を参照すると、排水エンクロージャ６０は機械的ドレインを含む。機械的ドレインは、排水プレート４６の排水プラグ４４を開閉するための排水アクチュエータ４８を有する。排水アクチュエータ４８は、コントローラ９２によって管理される一体化されたスプリングリターン、両側での水の活性化または外部スプリングリターンを有することができる。排水プレート４６は、保持ブラケット５６によって排水エンクロージャ６０に固定され、圧縮ガスケット５２は、排水エンクロージャ６０と排水プレート４６との間を密閉する。保持ブラケット５６は、取付ボルト５４を締めることによって上下に移動可能であり、ガイドロッド５８によって平行に保持される。機械的ドレインはまた、排水カバー４０およびヘアフィルタ４２を有する。
【００６８】
図１〜２５に加えて、図２６を参照すると、バスタブ１０は、使用者または入浴者によって使用される扉押しボタン８４を含む。また、扉２２の下降位置、中間位置および上昇位置を検出するための扉位置センサ８６が示されている。また、浴槽１２およびリザーバ６２の水位を検出するための水検出センサ８８が示されている。また、扉シーリングストリップ１８の圧力を検出するための圧力センサ９０が示されている。また、コントローラ９２は、扉押しボタン８４からの入力制御信号を受信すること；扉位置センサ８６からの入力された扉位置信号を受信すること；水検出器センサ８８からの入力された水検出信号を受信すること；扉シーリングストリップ１８を密封するための圧力センサ９０からの入力された圧力信号を受信すること；例示的に扉２２を密閉するために異なるレベルでシーリングストリップ１８のシール弁９４を制御する制御信号を送信すること；および排水弁９６を操作するための制御信号を送信することのために構成されるコントローラを示す。
【００６９】
バスタブ１０は、浴槽１２への水の投入を制御するためにコントローラ９２に接続された給水弁９８を含むことができる。バスタブ１０は、異なるシステムの状態を表示するためにコントローラ９２に接続されたステータスライト１００を含むことができる。キーボード１０４にコントローラ９２が接続されていてもよい。
【００７０】
本発明を、その好ましい実施形態を参照しながら示して説明してきたが、添付の特許請求の範囲によって規定される本発明の精神および範囲から逸脱することなく、その形態および詳細の様々な変更を行うことができることは、当業者に認識されるであろう。
【図１】
2019522498.tif 000003
【図２】
2019522498.tif 000004
【図３】
2019522498.tif 000005
【図４】
2019522498.tif 000006
【図５】
2019522498.tif 000007
【図６】
2019522498.tif 000008
【図７】
2019522498.tif 000009
【図８】
2019522498.tif 000010
【図９】
2019522498.tif 000011
【図１０】
2019522498.tif 000012
【図１１】
2019522498.tif 000013
【図１２】
2019522498.tif 000014
【図１３】
2019522498.tif 000015
【図１４】
2019522498.tif 000016
【図１５】
2019522498.tif 000017
【図１６】
2019522498.tif 000018
【図１７】
2019522498.tif 000019
【図１８】
2019522498.tif 000020
【図１９】
2019522498.tif 000021
【図２０】
2019522498.tif 000022
【図２１】
2019522498.tif 000023
【図２２】
2019522498.tif 000024
【図２３】
2019522498.tif 000025
【図２４】
2019522498.tif 000026
【図２５】
2019522498.tif 000027
【図２６】
2019522498.tif 000028
【国際調査報告】
2019522498.tif 000029
2019522498.tif 000030
2019522498.tif 000031
2019522498.tif 000032
2019522498.tif 000033